【手続補正書】
【提出日】平成19年6月7日(2007.6.7)
【手続補正１】
【補正対象書類名】特許請求の範囲
【補正対象項目名】全文
【補正方法】変更
【補正の内容】
【特許請求の範囲】
【請求項１】
金属鋳造に用いるフィーダエレメントであって、
成形パターン上に装着する第１の端部と、フィーダスリーブを受容する反対側の第２の端部と、前記第１と第２の端部間に側壁により画成した孔とを有し、使用時に非可逆的に圧縮可能とすることで前記第１と第２の端部間の距離を低減したことを特徴とするフィーダエレメント。
【請求項２】
初期破砕強度が５０００Ｎ以下である請求項１記載のフィーダエレメント。
【請求項３】
初期破砕強度が少なくとも５００Ｎである請求項１又は２に記載のフィーダエレメント。
【請求項４】
初期破砕強度が５００Ｎ以上３０００Ｎ以下である請求項１〜３のいずれか１項に記載のフィーダエレメント。
【請求項５】
前記圧縮は非脆性材料の変形を介して達成することができる請求項１〜４のいずれか１項に記載のフィーダエレメント。
【請求項６】
前記非脆性材料が金属である請求項５記載のフィーダエレメント。
【請求項７】
前記金属が鋼、アルミニウム、アルミニウム合金又は真鍮から選択される請求項６記載のフィーダエレメント。
【請求項８】
前記金属が鋼である請求項７記載のフィーダエレメント。
【請求項９】
前記フィーダエレメントは第２の一連の側壁と相互接続して一体形成した直径が増大するリングの形をした第１の一連の側壁域を備える段付き側壁を有する、請求項１〜８のいずれか１項に記載のフィーダエレメント。
【請求項１０】
前記フィーダエレメントが、前記第２の一連の側壁域のうち一対の側壁域間の単一リングにより画成される、請求項９記載のフィーダエレメント。
【請求項１１】
前記側壁域の肉厚は０．４〜１．５ｍｍである、請求項９又は１０に記載のフィーダエレメント。
【請求項１２】
前記リングは環状をなす、請求項９〜１１のいずれか１項に記載のフィーダエレメント。
【請求項１３】
前記リングは平坦である請求項９〜１２のいずれか１項に記載のフィーダエレメント。
【請求項１４】
前記側壁域はほぼ一様な肉厚とすることで前記フィーダエレメントの前記孔の直径を前記フィーダエレメントの前記第１の端部から前記第２の端部へかけて増大させるようにした請求項９〜１３のいずれか１項に記載のフィーダエレメント。
【請求項１５】
前記第２の一連の側壁域が環状である請求項９〜１４のいずれか１項に記載のフィーダエレメント。
【請求項１６】
前記孔の軸と前記第１の側壁域との間に画成する角度が約５５〜９０°である請求項９〜１５のいずれか１項に記載のフィーダエレメント。
【請求項１７】
前記フィーダエレメントの前記第１の端部が、前記第２の一連の側壁域の１つにより画成され、この前記第１の端部を画成する側壁域の長さが他の第２の一連の側壁域の長さよりも長い、請求項９〜１６のいずれか１項に記載のフィーダエレメント。
【請求項１８】
前記フィーダエレメントの前記第１の端部を画成する前記側壁域は前記孔の軸に対し５〜３０度の角度で傾斜させた請求項９〜１７のいずれか１項に記載のフィーダエレメント。
【請求項１９】
前記側壁域の肉厚は前記第１の側壁域の内径と外径の間の距離の約４〜２４％である請求項９〜１８のいずれか１項に記載のフィーダエレメント。
【請求項２０】
前記フィーダエレメントの前記第１の端部を画成する前記側壁域の前記自由端は内向きフランジであってビードを有する請求項１９記載のフィーダエレメント。
【請求項２１】
前記フィーダエレメントの前記側壁に所定負荷の下で変形又は剪断可能となるように１以上の脆弱点を設けた請求項１〜８のいずれか１項に記載のフィーダエレメント。
【請求項２２】
前記側壁に所定負荷の下で変形する少なくとも一つの肉厚低減域を設けた請求項２１記載のフィーダエレメント。
【請求項２３】
前記側壁に所定負荷の下で前記側壁を変形させる１以上の撚れや屈曲や襞や他の輪郭を設けた請求項２１又は２２に記載のフィーダエレメント。
【請求項２４】
前記孔は截頭円錐形であり、少なくとも一つの円周溝を有する側壁により境界付けた請求項２１〜２３のいずれか１項に記載のフィーダエレメント。
【請求項２５】
請求項１〜２４のいずれか１項に記載のフィーダエレメントとこれに固着したフィーダスリーブとを備えることを特徴とする金属鋳造用フィーダシステム。
【請求項２６】
前記フィーダスリーブは接着剤により或いは前記フィーダエレメントとの押し込み嵌合により或いは前記フィーダエレメントの一部周囲に該スリーブを成形することで前記フィーダエレメントに固着した請求項２５記載のフィーダシステム。
【手続補正２】
【補正対象書類名】明細書
【補正対象項目名】００１２
【補正方法】変更
【補正の内容】
【００１２】
本発明の第１の態様によれば金属鋳造に用いるフィーダエレメントが提供され、このフィーダエレメントは、成形パターン（プレート）上に装着する第１の端部と、フィーダスリーブを受容する反対側の第２の端部と、第１の端部と第２の端部の間に側壁により画成した孔とを有し、該フィーダエレメントは使用時に非可逆的に圧縮可能で、それによって前記第１の端部と第２の端部の間の距離を低減する。
【手続補正３】
【補正対象書類名】明細書
【補正対象項目名】００１６
【補正方法】変更
【補正の内容】
【００１６】
本願明細書にて使用する如く、用語「圧縮可能」はその広義の意味にて使用するものであり、その第１の端部と第２の端部との間のフィーダエレメントの長さが圧縮前よりも圧縮後の方が短くなることを伝えるためだけを意図するものである。前記圧縮は非可逆的であり、すなわち圧縮誘導力を取り除いた後にフィーダエレメントがその元々の形状に逆戻りしないようにすることは重要である。
【手続補正４】
【補正対象書類名】明細書
【補正対象項目名】００１７
【補正方法】変更
【補正の内容】
【００１７】
圧縮は金属（例えば、鋼やアルミニウムやアルミニウム合金や真鍮等）或いはプラスチック等の非脆性材料の変形を介して達成することができる。第１の実施形態では、フィーダエレメントの側壁に１以上の脆弱点を配設し、それを（破砕強度に対応する）所定負荷を受けて変形（或いは剪断さえ）するよう設計してある。
【手続補正５】
【補正対象書類名】明細書
【補正対象項目名】００１９
【補正方法】変更
【補正の内容】
【００１９】
第２の実施形態では、孔は截頭円錐形状としてあり、少なくとも一つの円周溝を有する側壁により境界付けてある。前記少なくとも一つの溝は側壁の内面か（好ましくは）外面上に設け、使用時に印加負荷（破砕強度に対応）を受けて予想通りに変形或いは剪断する脆弱点を設けることができる。
【手続補正６】
【補正対象書類名】明細書
【補正対象項目名】００３４
【補正方法】変更
【補正の内容】
【００３４】
都合よくは、本発明のフィーダエレメントはばねピンの使用に依存しない。図５と図６は、固定ピン２６上に装着したフィーダスリーブ２０ａに嵌合させたブレーカコア１０を示す。突き固め時（図６）にスリーブ２０ａが下方へ移動してピン２６が固定されるため、スリーブ２０ａにはその中にピン２６を受ける孔２８が設けてある。図示の如く、孔２８はスリーブ２０ａの上面を通って延びているが、他の実施形態（図示せず）ではスリーブには有底孔（すなわち、この孔はフィーダの上部を一部だけ貫通して延びていて押湯スリーブキャビティを密閉できるようにしてある）を設けることができる。さらなる変形例（図２２に図示）では、有底孔を固定ピンと併せ使用し、突き固め時に図２３に図示し（独国特許第１９５０３４５６号に記載されている）如くピンがフィーダスリーブの頂部を貫通し、かくして一旦ピンを取り除いた後に成形ガス用の排気口が作成されるようスリーブを設計してある。
【手続補正７】
【補正対象書類名】明細書
【補正対象項目名】００４２
【補正方法】削除
【補正の内容】
【手続補正８】
【補正対象書類名】明細書
【補正対象項目名】００５１
【補正方法】変更
【補正の内容】
【００５１】
図１９を参照するに、α＝５０°のブレーカコアについてプレート変位に対し力をプロットした。力を増すと、ここでは初期破砕強度と呼ぶ臨界力が印加（点Ａ）されるまで、ブレーカコアの最小圧縮（その未使用の非破砕状態での固有可撓性に関連）が存在し、その後に圧縮はより小さな負荷を受けて急速に進行し、初期破砕強度が発生した後の最小力計測値が点Ｂで記録される。さらに、圧縮が発生し、力は最大（最大破砕強度、点Ｃ）まで増大する。コアがその最大変位（点Ｄ）に達するか接近すると、さらなる変位が物理的に不可能である箇所の点（点Ｅ）において力は急速に目盛を振り切って増大する。
【手続補正９】
【補正対象書類名】明細書
【補正対象項目名】００５２
【補正方法】変更
【補正の内容】
【００５２】
初期破砕強度と最小圧力計測値と最大破砕強度が、１０個全てのブレーカコアについて図２０にプロットしてある。理想的には、初期破砕強度は３０００Ｎ未満でなければならない。初期破砕強度が余りに高い場合、そのときは成形圧力はブレーカコアが圧縮機会を有するよりも前にフィーダスリーブの破損を引き起こすことがある。理想的な概要図は、初期破砕強度から最大破砕強度への直線的プロットとなる筈であり、それ故に最小力計測値（点Ｂ）は理想的には最小破砕強度に非常に接近しよう。理想的な最大粉砕強度は、ブレーカコアが意図する応用分野に非常に依存するものである。非常に高い成形圧力を印加する場合、そのときは低圧成形分野に用いるブレーカコア用よりも高い最大破砕強度の方がより望ましかろう。
【手続補正１０】
【補正対象書類名】明細書
【補正対象項目名】００５３
【補正方法】変更
【補正の内容】
【００５３】
（実施例３−破砕強度と側壁肉厚の調査）
破砕強度パラメータに関する金属肉厚の影響を調査すべく、さらなるブレーカコアを作成し、実施例２について試験した。ブレーカコアは、実施例１ｂ（軸長３３ｍｍ、最小直径２０ｍｍ軸、スリーブの基部の外径に対応する最大部直径８２ｍｍ）のものと同じであった。鋼の肉厚は０．５，か０．６か０．８ｍｍ（側壁１２ａの環状肉厚の１０か１２か１６％に対応）であった。変位に対する力のプロットが図２１に図示してあり、これから最小力（点Ｂ）と初期破砕強度との間の差異同様、初期破砕強度（点Ａ）が金属肉厚とともに増大することが分かる。側壁１２ａに対し金属が余りに薄肉である場合、そのときは初期破砕強度は容認できないほど高いものとなる。金属が余りに薄い場合は、粉砕強度は容認できないほど低いものとなる。
【手続補正１１】
【補正対象書類名】明細書
【補正対象項目名】００５５
【補正方法】変更
【補正の内容】
【００５５】
【図１】本発明になる第１のフィーダエレメントの側面図である。
【図２】本発明になる第１のフィーダエレメントの上面図である。
【図３】突き固め前の図１のフィーダエレメントとばねピンに装着したフィーダスリーブとを示す図である。
【図３Ａ】図３の組立体の一部の断面図である。
【図４】突き固め後の図１のフィーダエレメントとばねピンに装着したフィーダスリーブとを示す図である。
【図５】突き固め前の図１のフィーダエレメントと固定ピンに装着したフィーダスリーブとを示す図である。
【図６】突き固め後の図１のフィーダエレメントと固定ピンに装着したフィーダスリーブとを示す図である。
【図７】本発明になる第２のフィーダエレメントの側面図である。
【図７Ａ】標準ピンに装着した図７のフィーダエレメントの一部の断面図である。
【図７Ｂ】変形ピンに装着した図７のフィーダエレメントの一部の断面図である。
【図８】本発明になる第２のフィーダエレメントの上面図である。
【図９】本発明になる第３のフィーダエレメントの側面図である。
【図１０】本発明になる第３のフィーダエレメントの上面図である。
【図１１】本発明になる第４のフィーダエレメントの側面図である。
【図１２】圧縮前の本発明になる第５のフィーダエレメントの断面図である。
【図１３】圧縮後の本発明になる第５のフィーダエレメントの断面図である。
【図１４】圧縮前の本発明になる第６のフィーダエレメントを組み込んだフィーダ組立体の概略断面図である。
【図１５】圧縮後の本発明になる第６のフィーダエレメントを組み込んだフィーダ組立体の概略断面図である。
【図１６】本発明になる第７のフィーダエレメントの側面図である。
【図１７】本発明になる第８実施形態のフィーダエレメントを組み込んだフィーダスリーブ組立体の断面図である。
【図１８】本発明になる第８実施形態のフィーダエレメントを組み込んだフィーダスリーブ組立体の断面図である。
【図１９】図７のブレーカコアについて圧縮に抗して加わる力をプロットした図である。
【図２０】本発明になる一連のブレーカコアについて圧縮データを示す棒グラフである。
【図２１】側壁厚が異なる図７に示した種の一連のブレーカコアについて圧縮に抗する力をプロットした図である。
【図２２】突き固め前の図１のフィーダエレメントと固定ピンに装着した図５に示したものとは異なるフィーダスリーブを示す図である。
【図２３】突き固め後の図１のフィーダエレメントと固定ピンに装着した図６に示したものとは異なるフィーダスリーブを示す図である。
【手続補正１２】
【補正対象書類名】図面
【補正対象項目名】図１９
【補正方法】変更
【補正の内容】
【図１９】
2007509760.tif 000001
【手続補正１３】
【補正対象書類名】図面
【補正対象項目名】図２０
【補正方法】変更
【補正の内容】
【図２０】
2007509760.tif 000002
【手続補正１４】
【補正対象書類名】図面
【補正対象項目名】図２１
【補正方法】変更
【補正の内容】
【図２１】
2007509760.tif 000003
【手続補正１５】
【補正対象書類名】図面
【補正対象項目名】図２２
【補正方法】変更
【補正の内容】
【図２２】
2007509760.tif 000004
【手続補正１６】
【補正対象書類名】図面
【補正対象項目名】図２３
【補正方法】変更
【補正の内容】
【図２３】
2007509760.tif 000005
【手続補正１７】
【補正対象書類名】図面
【補正対象項目名】図２４
【補正方法】削除
【補正の内容】
【手続補正１８】
【補正対象書類名】図面
【補正対象項目名】図２５
【補正方法】削除
【補正の内容】